(57)【要約】【課題】包装箱を外嵌するケースを有効利用し、これを簡単な操作によって二つに中折れ状態とし、展示用スタンドにも利用出来るようにすること。【解決手段】包装箱１の外嵌に用いる透明又は半透明の合成樹脂製のケース２で、該ケース２の略中間位置を、下半部２Ａと上半部２Ｂに中折れ状態で二つ割り可能に構成し、前記包装箱１を、一方の下半部２Ａに略半分を収納し、他の半分を露出した状態として、前記ケース２の下半部２Ａ，上半部２Ｂの端部２ａ，２ｂで、側面視で逆Ｖ字型に立てて包装箱１を展示できるようにした。【選択図】    図１
2006219194.tif 000002
【特許請求の範囲】
【請求項１】
包装箱１に対して、少なくともその一側方から抜き挿し自在に外嵌出来るように構成した透明又は半透明の合成樹脂製のケース２であって、
該ケース２の略中間位置を、下半部２Ａと上半部２Ｂに中折れ状態で二つ割り可能に構成し、
前記包装箱１を、一方の下半部２Ａに略半分を収納し、他の半分を露出した状態として、前記ケース２の下半部２Ａ，上半部２Ｂの端部２ａ，２ｂで、側面視で逆Ｖ字型に立てて包装箱１を展示できるように構成した、スタンド兼用の商品収納ケース。
【請求項２】
前記二つ割りが、前記ケース２の前面２ｃ、側面２ｄに対する切り離し部３と、裏面２ｅの折り曲げ部４とによって構成されている、請求項１のスタンド兼用の商品収納ケース。
【請求項３】
前記ケース２の前面２ｃの切り離し部３が所定の箇所２ｆで部分接続されており、上面からの押圧で破断して中折れが出きるように構成されている、請求項２のスタンド兼用の商品収納ケース。
【請求項４】
前記ケース２の前面２ｃの切り離し部３において、包装箱１の展示に際して包装箱１の背面１ｂを支持する支持部２ｇか形成されている、請求項２乃至請求項３の何れか１項のスタンド兼用の商品収納ケース。
【請求項５】
前記ケース２の前面２ｃの切り離し部３において、前記下半部２Ａから上半部２Ｂの側に突出する、前記包装箱１の挿入に対するガイド部５が形成されている、請求項２乃至請求項４の何れか１項のスタンド兼用の商品収納ケース。
【発明の詳細な説明】
【技術分野】
【０００１】  本発明は、靴下、下着等の比較的嵩の小さい商品を個別に収納した包装箱等に被服して用いる外装ケースの改良に関する。
【背景技術】
【０００２】  従来、比較的高級な靴下、下着、ハンカチ、マフラー等の商品は、箱詰め等で個別に包装して販売される方式が採られている。
こうした箱詰めは、通常、紙製の薄い箱の前面を開放し、ここに透明フィルムで前面的又は部分的に蓋をして、内部の商品が見える状態、又は、一部手で触れて生地を観察できる状態としたものが多い。【０００３】  一般に、包装箱及びスタンド展示の技術としては、次のものが知られている。
【特許文献１】特開平９−３７９０２。包装箱が展示台が展示大となり展示用スタンドが包装箱に収納されて一体に梱包されている。
【特許文献２】登録実用新案第３０６１０６２号。商品収納箱の背面にスタンドを設けて写真立て等に再利用する。
【発明の開示】
【発明が解決しようとする課題】
【０００４】  上述した商品包装の箱詰めの一形態として、最近、包装箱の内部が見えるようにした包装形態が流行しており、この場合、包装箱の前面が開放されていることから、輸送、取り扱い上で強度が足りないという問題があり、これを補うために、この包装箱を、透明或いは半透明の合成樹脂製のケースで外嵌（被覆）する方式が採られている。【０００５】  この方式によれば、内部の商品を見ることが出来ながら、包装箱の強度を充分なもにすることができる利点がある。
ところれ、こうした合成樹脂製のケースは、補強を目的とした外嵌用で、内部の包装箱を取り出して、これを、陳列棚やショウウインドウに展示するようにしており、その際、商品スタンドを用いる場合には、別途準備したスタンドが使用され、前記ケースは廃棄されていた。【０００６】  本発明者は、こうした包装箱を外嵌するケースを有効利用し、これを簡単な操作によって二つに中折れ状態とし、展示用スタンドにも利用出来るようにすることを目的とする。
【課題を解決するための手段】
【０００７】  本発明にかかるスタンド兼用の商品収納ケースは、上記目的を達成するために、包装箱１に対して長手方向に抜き挿し自在に外嵌出来るように構成した透明又は半透明の合成樹脂製のケース２であって、
該ケース２の略中間位置を、下半部２Ａと上半部２Ｂに中折れ状態で二つ割り可能に構成し、
前記包装箱１を、一方の下半部２Ａに略半分を収納し、他の半分を露出した状態として、前記ケース２の下半部２Ａ，上半部２Ｂの端部２ａ，２ｂで、側面視で逆Ｖ字型に立てて包装箱１を展示できるように構成した、
という手段を講じたものである。
【発明の効果】
【０００８】  本発明によれば、包装用箱を外嵌していたケースを、中折れ可能な構成とすることによって、包装箱の展示に際して、このケースを中折りし、一方の下半部２Ａに包装箱の略半分を収納し、他の半分を露出した状態として、前記ケース２の下半部２Ａ，上半部２Ｂの端部２ａ，２ｂで、側面視で逆Ｖ字型に立てて包装箱１を展示でき、展示用スタンドとして利用できる利点がある。
【発明を実施するための最良の形態】
【０００９】  本発明の実施としては、包装箱１は、通常紙製であるが、他の材質、例えば、合成樹脂製であってもよい。
また、ケース２は、透明又は半透明の合成樹脂製の保形力を持つフィルム又はシートで構成されるが、その材質は、従前にケースの成型に用いられていた材質は勿論のこと、適宜公知のものから選択できる。【００１０】  そして、前記二つ割りが、前記ケース２の前面２ｃ、側面２ｄに対する切り離し部３と、裏面２ｅの折り曲げ部４とによって構成されているのが好ましい。
これによって、ケース２の中折れ状態が、展示する包装箱１の上半部の全体（前面側だけでなく）を露出させることが可能であり、展示に際して、包装箱１を取り出す場合に、全体を把持することが出来て取り出し易い。【００１１】  また、前記ケース２の前面２ｃの切り離し部３が所定の箇所２ｆで部分接続されており、上面からの押圧で破断して中折れが出きるように構成されていることが好ましい。
この構成によって、搬送、取り扱い時には、前面２ｃが一体となっていて、充分な強度を発揮できながら、展示に際してケース２を中折れ状態にする際に、弱い押圧でも分断が可能であり、操作上便利である。【００１２】  更に、前記ケース２の前面２ｃの切り離し部３において、包装箱１の展示に際して包装箱１の背面１ｂを支持する支持部２ｇか形成されているのが好ましい。
この構成によって、展示に際して、前記包装箱１の背面を、点でなく、その支持部２ｇの線でもって安定的に支持することが出来る。【００１３】  また、前記ケース２の前面２ｃの切り離し部３において、前記下半部２Ａから上半部２Ｂの側に突出する、前記包装箱１の挿入に対するガイド部５が形成されているのが好ましい。
このガイド部５は、展示に際して折り曲げられたケース２の下半部２Ａに包装箱１を挿入する際に、平坦な切り口に対して挿入する場合よりも、このガイド部５に沿わせて挿入することで、容易に挿入ができる利点がある。
このガイド部５は、実施例では、正面視で台形を成しているが、半円形でも、三角形でも、その他の形状でも良いものである。
【実施例１】
【００１４】  以下、本発明にかかるスタンド兼用の商品収納ケースの好適実施例について、図１乃至図５に基づいて詳述する。
図１３に示す包装箱１は、厚紙製で、折り畳みで形成されており、前面が開口して、内部の商品が手で触れることができる構成とされている。勿論、場合によっては、この前面にフィルム状体でラップするような被覆を施してもよい。【００１５】  図２は、この包装箱１を外嵌状態で収納する合成樹脂製のシート状体で構成された透明のケース２である。ここでは、図５に示すように、上側の一側が開口６状態で、下側は、通常の折り畳み蓋７の構成を採用している。従って、包装箱１は、上側の開口６から出し、入れ自在であるが、必要に応じて、下側の蓋７を開けば、出し入れ自在となり、図４は、この包装箱１をケース２に挿入した状態（搬送、取り扱い時の状態）を示す。【００１６】そして、図２に示すケース２は、図１に示すように、その略中間位置を、下半部２Ａと上半部２Ｂに中折れ状態で二つ割り可能に構成されている。この構成として、前記二つ割りが、前記ケース２の前面２ｃ、側面２ｄに対する切り離し部３と、裏面２ｅの折り曲げ部４とによって構成され、前記ケース２の前面２ｃの切り離し部３が所定の箇所２ｆで部分接続されており、上面からの押圧で破断して中折れが出きるように構成されている。【００１７】  前記ケース２の前面２ｃの切り離し部３が所定の箇所２ｆで部分接続する構成は、ここでは、トンプソンの裁断機により切り目を入れる際に、部分的に極く僅かの長さ（点）で複数箇所において切り残しを設けて構成しているものである。
従って、常時は、ケース２の前面２ｃは平面を形成しているが、展示を要するときには、上面から指で押すと前記切り離し部３が所定の箇所２ｆで容易に分断できるのである。【００１８】  このように、前記ケース２の略中間位置を、下半部２Ａと上半部２Ｂに中折れ状態で二つ割りにして折り曲げ、前記包装箱１を、一方の下半部２Ａに略半分を収納し、他の半分を露出した状態として、前記ケース２の下半部２Ａ，上半部２Ｂの端部２ａ，２ｂで、図１に示すように、側面視で逆Ｖ字型に立てて包装箱１を展示できるように構成されている。【００１９】  また、図２に示すように、前記ケース２の前面２ｃの切り離し部３において、包装箱１の展示に際して包装箱１の背面１ｂを支持する支持部２ｇか形成されている。
更に、前記ケース２の前面２ｃの切り離し部３において、前記下半部２Ａから上半部２Ｂの側に突出する、前記包装箱１の挿入に対するガイド部５が形成されている。このガイド部５は、前記支持部２ｇに連続する状態で形成されている。
尚、この実施例では、前記ガイド部５が台形状に形成されているが、半円状、三角状、或いは、その他の適宜の形状、意匠としてもよい。
【実施例２】
【００２０】  この実施例２では、基本的構造は、実施例１と同じであるので、重複箇所の説明は省略する。
図７は、ケース２の全体を示し、ここでは、ケース２の上下の端部は、両面共に開口の構成を採用している。図８は、収納する包装箱１であって、基本的には実施例１と同じである。
従って、展示に際しては、図６に示すように、前記ケース２の略中間位置を、下半部２Ａと上半部２Ｂに中折れ状態で二つ割りにして折り曲げ、前記包装箱１を、一方の下半部２Ａに略半分を収納し、他の半分を露出した状態として、前記ケース２の下半部２Ａ，上半部２Ｂの端部２ａ，２ｂで、図１に示すように、側面視で逆Ｖ字型に立てて包装箱１を展示できるように構成されている。【００２１】  この実施例２では、実施例１における大きな台形状のガイド部５が存在しないが、ケース２の二つ割りに際して、側面視で斜めにカットする構成を採用しているので、結果として、前記ケース２の下半部２Ａのきりくちが斜めとなり，その分だけ、側面が突出して小さなガイド面を形成することになる。【００２２】  尚、包装箱１を立て長のもので説明したが、横長の箱でも実施できるものであり、また、包装箱１が矩形（薄い直方体）で説明したが、薄い円柱形、楕円形の箱でも、本発明のケース２を適応する外形状とすることで、本発明を実施できるものである。
【産業上の利用性】
【００２３】  本発明は、靴下、下着、ハンカチ、マフラー等、種々の個別包装の商品に対して、その包装と展示を可能にするもので、その広範囲の応用が可能である。
【図面の簡単な説明】
【００２４】
【図１】実施例１の展示使用状態を示す斜視図。
【図２】実施例１のケースの斜視図。
【図３】実施例１の包装箱の斜視図。
【図４】実施例１の包装状態を示す斜視図。
【図５】実施例１のケースの一使用状態を示す斜視図。
【図６】実施例２の展示使用状態を示す斜視図。
【図７】実施例２のケースの斜視図。
【図８】実施例２の包装箱の斜視図。
【符号の説明】
【００２５】１：包装箱
１ｂ：背面
２：ケース
２Ａ：下半部
２Ｂ：上半部
２ａ：端部
２ｂ：端部
２ｃ：前面
２ｄ：側面
２ｅ：裏面
２ｆ：所定箇所
２ｇ：支持部
３：切り離し部
４：折り曲げ部
５：ガイド部
【図１】
2006219194.tif 000003
【図２】
2006219194.tif 000004
【図３】
2006219194.tif 000005
【図４】
2006219194.tif 000006
【図５】
2006219194.tif 000007
【図６】
2006219194.tif 000008
【図７】
2006219194.tif 000009
【図８】
2006219194.tif 000010